(57)【要約】      （修正有）【課題】光学フィルタとホルダとの接着力が維持される撮像装置を提供する。【解決手段】撮像装置は、撮像素子２０が搭載された基板１０と、第１レンズ７１、第２レンズ７２及び光学フィルタ４０を保持すると共に撮像素子２０を覆うように基板１０に固定されたホルダ３０とを備え、ホルダ３０は、光学フィルタ４０をホルダ３０に固定するための接着剤６０が塗布される塗布面を有し、接着剤６０は、光学フィルタ４０と塗布面のそれぞれとの境界を覆うように盛られ、塗布面は、光学フィルタ４０の外側に向けて傾斜している。【選択図】図１
2008219582.tif 000002
【特許請求の範囲】
【請求項１】
撮像素子が搭載された基板と、レンズ及び光学フィルタを保持すると共に前記撮像素子を覆うように前記基板に固定されたホルダとを備え、
前記ホルダは、前記光学フィルタを該ホルダに固定するための接着剤が塗布される塗布面を有し、
前記接着剤は、前記光学フィルタと前記塗布面とにわたって塗布され、
前記塗布面は、前記光学フィルタに対して傾斜している、ことを特徴とする撮像装置。
【請求項２】
前記塗布面は、前記ホルダの内周部に形成され、前記光学フィルタに向けて下り傾斜している、ことを特徴とする請求項１に記載の撮像装置。
【請求項３】
前記塗布面は、前記光学フィルタの厚み内から外側に向けて連続している、ことを特徴とする請求項１又は２に記載の撮像装置。
【請求項４】
前記塗布面は、前記光学フィルタを前記ホルダ内の保持位置へと案内するように傾斜している、ことを特徴とする請求項１乃至３の何れかに記載の撮像装置。
【請求項５】
前記ホルダは、前記光学フィルタにより隔てられる該ホルダ内の空間を連通する通風部を有している、ことを特徴とする請求項１乃至４の何れかに記載の撮像装置。
【請求項６】
前記通風部は、前記光学フィルタの角部を逃がすように形成されている、ことを特徴とする請求項５に記載の撮像装置。
【請求項７】
前記通風部は、前記光学フィルタによって覆われる前記ホルダの開口部と一体に形成されている、ことを特徴とする請求項５乃至６の何れかに記載の撮像装置。
【請求項８】
前記ホルダは、前記接着剤が充填された溝部を有し、
前記溝部に充填された前記接着剤と、前記塗布面に塗布された前記接着剤とによって、前記光学フィルタは、前記ホルダに両面から固定される、ことを特徴とする請求項５乃至７の何れかに記載の撮像装置。
【請求項９】
前記光学フィルタは、前記溝部を塞ぐように前記ホルダに固定されている、ことを特徴とする請求項８に記載の撮像装置。
【発明の詳細な説明】
【技術分野】
【０００１】
本発明は、撮像装置に関する。
【背景技術】
【０００２】
携帯電話などに搭載される小型の撮像装置は、撮像素子を搭載した基板と、この撮像素子に被写体像を結像させるレンズを保持するホルダと、撮像素子とレンズとの間でホルダに保持される光学フィルタとを備えたものがある（特許文献１参照）。
光学フィルタは、一般的に接着剤によりホルダに固定されている。
【０００３】
【特許文献１】特開２００６−２３７７５５号公報
【発明の開示】
【発明が解決しようとする課題】
【０００４】
このような撮像装置において、光学フィルタにゴミが付着していたり、ホルダに付着していたゴミが撮像装置の製造工程中や製品出荷後に衝撃等によって光学フィルタ上に移動したりすると、ゴミが画像に映りこんでしまい、画像の品質が劣化するおそれがある。そのため、ホルダに光学フィルタを接着した後に、ホルダを洗浄してゴミを除去し、その後にホルダを基板に搭載することが望ましい。
特に、近年撮像素子の高画素化に伴い、微細なゴミであっても、画像の品質は劣化してしまう。このため、ホルダの洗浄は十分に行う必要がある。
しかしながら、このような洗浄により、光学フィルタとホルダとを固定している接着剤が洗浄液によって侵食され、接着力が低下する恐れがある。
接着力が低下すると、撮像装置の製造工程中や製品出荷後に、光学フィルタとホルダとの接合状態に問題が発生する恐れがある。
【０００５】
この課題を解決する方法として、接着剤が塗布される面積を拡大するという方法が考えられる。あるいは接着剤が塗布される厚みを増加させるという方法が考えられる。
【０００６】
接着剤が塗布される面積が増大すると、トータルとしての接着力が増大するので、洗浄することにより接着力が低下してもホルダと光学フィルタの接合状態を維持するのに必要な接着力を保持することができる。
【０００７】
接着剤が塗布される厚みが増加すると、接着剤表面から界面までの距離が大きくなるので、洗浄液が浸透して界面における接着力を低下させる度合いを厚みが少ない場合に比べて相対的に減らすことができる。
【０００８】
従来の構造では光学フィルタは、ホルダに設けられた光軸と平行、もしくはほぼ平行な位置決め面と光学フィルタの縁部が当接することで光軸と直交する方向での位置が規制される。そして、この位置決め面はホルダのスペースが許す限りの範囲においてその形状のまま延伸されている。すなわち、位置決め面は光学フィルタに対してほぼ垂直に設けられている。
【０００９】
接着剤は、位置決め面と、光学フィルタの縁部との境界を覆うように塗布されるので、接着面積を増やそうとする場合、位置決め面を光軸方向にさらに延伸する必要があるが、ホルダに許容されるスペースの関係上、延伸するのは容易ではない。
【００１０】
位置決め面を光軸方向に十分延伸できたとしても、接着剤は塗布されると、ある程度の時間はその形状を保っているが、やがてその形状は崩れて広がっていく性質がある。位置決め面は光学フィルタにほぼ垂直に設けられているので、接着剤は主に光学フィルタ上を広がっていくことになり、場合によっては光路上にまでいたることがある。この傾向は接着剤の塗布量が多いほど顕著である。
【００１１】
あるいは、位置決め面の高さを光学フィルタの厚みと同程度として、ホルダの光軸と直交する方向の構造材にも接着剤を塗布するようにして接着剤の塗布面積を増加させる方法も考えられる。ところが、上記のように接着剤は広がっていく性質を持っているので、この場合、接着剤は光学フィルタとホルダの両面に広がっていき、結果として接着剤の厚みが薄くなる。
【００１２】
このように、従来の構造では洗浄後に接着力を維持することは容易ではなかった。
【００１３】
そこで本発明は、光学フィルタとホルダとの接着力が維持される撮像装置を提供することを目的とする。
【課題を解決するための手段】
【００１４】
上記目的は、撮像素子が搭載された基板と、レンズ及び光学フィルタを保持すると共に前記撮像素子を覆うように前記基板に固定されたホルダとを備え、前記ホルダは、前記光学フィルタを該ホルダに固定するための接着剤が塗布される塗布面を有し、前記接着剤は、前記光学フィルタと前記塗布面とにわたって塗布され、前記塗布面は、前記光学フィルタに対して傾斜している、ことを特徴とする撮像装置によって、達成できる。
この構成により、塗布面は、前記光学フィルタに対して傾斜しているので、塗布面が光学フィルタに対して垂直に形成されている場合と比較し、接着剤の塗布量を増やすことができる。従って、洗浄液による浸食を受けた場合であっても、光学フィルタとホルダとの接着力を維持することができる。
【００１５】
上記構成において、前記ホルダの内周部に形成され、前記光学フィルタに向けて下り傾斜している、構成を採用できる。
この構成により、ホルダに光学フィルタを接着する際に、塗布面に塗布した接着剤が光学フィルタに向かって流れやすくなるため、接着作業が容易となる。
【００１６】
上記構成において、前記塗布面は、前記光学フィルタの厚み内から外側に向けて連続している、構成を採用できる。
この構成により、接着剤の塗布量を更に増やすことができると共に、光学フィルタ及びホルダと接着剤との接着面積を増やすことができる。また、ホルダの光軸方向への大型化も抑制できる。
【００１７】
上記構成において、前記塗布面は、前記光学フィルタを前記ホルダ内の保持位置へと案内するように傾斜している、構成を採用できる。
この構成により、ホルダへの光学フィルタの組み付けが容易となる。
【００１８】
上記構成において、前記ホルダは、前記光学フィルタにより隔てられる該ホルダ内の空間を連通する通風部を有している、構成を採用できる。
この構成により、例えば、光学フィルタをホルダに接着した後に、熱硬化性の接着剤によりホルダを基板に固定し、その後にホルダにレンズを組付ける又はレンズを保持したレンズホルダを組付ける工程順で撮像装置を製造する場合には、ホルダは、光学フィルタにより隔てられる該ホルダ内の空間を連通する通風部を備えているので、ホルダを基板に固定する際における熱硬化処理時に、温度上昇に伴ってホルダ内が高圧状態になることを防止できる。従って、高圧状態に伴う、光学フィルタとホルダとの状態に問題が発生することを防止できる。また、基板にホルダを取り付ける際の熱硬化処理中に基板とホルダとの接着状態に問題が発生することを防止できる。
また、上記の工程順で撮像装置を製造した場合には、ホルダを基板に接着した後に、ホルダにレンズ又はレンズを保持したレンズホルダを組付けるので、これにより、通風部を介して外部から撮像素子側にゴミが浸入することを防止できる。従って、通風部が設けられていることによる特別な作業工程を行う必要もない。
【００１９】
上記構成において、前記通風部は、前記光学フィルタの角部を逃がすように形成されている、構成を採用できる。
この構成により、光学フィルタの角部がホルダに接触して、ホルダが削られてゴミが発生することを防止できる。
【００２０】
上記構成において、前記通風部は、前記光学フィルタによって覆われる前記ホルダの開口部と一体に形成されている、構成を採用できる。
この構成により、ホルダの形状の複雑化を抑制できる。
【００２１】
上記構成において、前記ホルダは、前記接着剤が充填された溝部を有し、前記溝部に充填された前記接着剤と、前記塗布面に塗布された前記接着剤とによって、前記光学フィルタは、前記ホルダに両面から固定される、構成を採用できる。
この構成により、光学フィルタは両面から接着されるので、光学フィルタとホルダとの接着力が向上する。
【００２２】
上記構成において、前記光学フィルタは、前記溝部を塞ぐように前記ホルダに固定されている、構成を採用できる。
この構成により、溝部内への洗浄液の浸入を防止できる。従って、洗浄液による浸食を防止でき、ホルダと光学フィルタとの接着力を維持することができる。
また、溝部内は密封に近い状態となる。これにより、外部環境の変化などによる影響を抑制でき、ホルダと光学フィルタとの接着力を長期的に維持することができる。
【発明の効果】
【００２３】
本発明によれば、光学フィルタとホルダとの接着力が維持される撮像装置を提供できる。
【発明を実施するための最良の形態】
【００２４】
以下に、本発明に係る複数の実施例について図面を参照しながら説明する。
【実施例１】
【００２５】
図１は、本実施例に係る撮像装置の構成を示した断面図である。
本実施例に係る撮像装置は、基板１０、撮像素子２０、ホルダ３０、光学フィルタ４０、レンズ枠５０、第１レンズ７１、第２レンズ７２などから構成される。
【００２６】
撮像素子２０は基板１０に搭載され、撮像素子２０の各端子は、ボンディングワイヤ２１を介して基板１０の配線パターンと接続されている。
ホルダ３０は、光学フィルタ４０を保持すると共に、レンズ枠５０を介して第１レンズ７１及び第２レンズ７２を保持し、撮像素子２０の周囲を覆うように基板１０に固定されている。また、ホルダ３０において、基板１０側は角筒状に形成されており、被写体側には円筒部３４が形成されている。円筒部３４の内周面には、螺合部３２が形成されている。螺合部３２は、円筒状に形成されたレンズ枠５０の外周面に形成された螺合部５２と螺合する。
【００２７】
また、ホルダ３０は、第１レンズ７１及び第２レンズ７２と撮像素子２０との間で、例えば赤外線をカットするためのＩＲカットフィルタのような光学フィルタ４０を保持する。光学フィルタ４０は、ホルダ３０に形成された開口部３１を覆うように配置されている。開口部３１は、開口部５１、第１レンズ７１及び第２レンズ７２を通過した入射光のうち光路以外の不要な光を遮光する機能を有している。開口部３１を通過した入射光は撮像素子２０上に像を結像する。
【００２８】
レンズ枠５０は、開口部５１を有し、内周に第１レンズ７１及び第２レンズ７２を保持する。尚、撮像装置は、撮像装置と外部装置（回路）とを接続するＦＰＣ（フレキシブルプリント基板）を備えている（不図示）。
【００２９】
図２（ａ）は、ホルダの正面図と、図２（ｂ）は、光学フィルタを説明するための斜視図である。尚、図１は、図２（ａ）のＡ−Ａ断面図に該当する。
図１及び図２（ａ）に示すようにホルダ３０は、光学フィルタ４０とホルダ３０とを固定するための接着剤６０が塗布される塗布面３３ａ〜３３ｄが形成されている。
開口部３１は、略矩形状に形成されている。光学フィルタ４０についても同様に矩形状に形成されている。
塗布面３３ａ〜３３ｄは、光学フィルタ４０の各辺の中央部に当接する。
また、接着剤６０は、塗布面３３ａ〜３３ｄのそれぞれと、光学フィルタ４０の縁部との境界を覆うように４箇所に盛られている。
また、塗布面３３ｂ、塗布面３３ｃの間に位置する、開口部３１の隅部には、通風部３７ａが形成されている。
また、図２（ｂ）に示すように、光学フィルタ４０には角部４０ａが４隅に存在する。
【００３０】
図３は、図１における塗布面３３ａ付近の拡大図である。
塗布面３３ａは、光学フィルタ４０とホルダ３０とを固定するための接着剤６０が塗布される面であり、光学フィルタ４０に対して外側に傾斜している。また、塗布面３３ａと、光学フィルタ４０との縁部との境界を覆うように接着剤６０が盛られている。接着剤６０は、本実施例においては常温硬化性のものを用いるが、他に熱硬化性、可視光硬化性、ＵＶ硬化性等のものであってもよい。
【００３１】
また、ホルダ３０は、光学フィルタ４０の光軸方向の位置を規定する支持面３６を有している。また、ホルダ３０は、光軸方向と直交する方向での光学フィルタ４０の位置を規制する位置決め面３８ａを有している。塗布面３３ａは、位置決め面３８ａと連続している。位置決め面３８ａの高さは、光学フィルタ４０の厚み分の高さとほぼ同じ程度に設定されている。尚、塗布面３３ａ〜３３ｄのそれぞれに対応して、位置決め面３８ａ〜３８ｄが形成されている。支持面３６及び位置決め面３８ａ〜３８ｄは、ホルダ３０による光学フィルタ４０の保持位置を画定する。
【００３２】
図４は、通風部３７ａを説明するための斜視図である。
通風部３７ａは、支持面３６上に溝状に設けられており、開口部３１と連通するように形成されている。また、光学フィルタ４０の角部４０ａよりも外側にまで延伸して形成されている。通風部３７ａは、光学フィルタ４０によって隔てられるホルダ３０内の空間を連通する。
【００３３】
なお、通風部３７ａは光学的な不具合がなければ、開口部３１と一体に形成され、開口部３１の外側に向けて切りかけ状に形成されていてもよい。すなわち支持面３６を貫通してホルダ３０における基板１０側の空間と連通するように形成されていてもよい。このようにすると、通風部３７ａは、開口部３１と一体に形成することができるので、ホルダ３０の形状の複雑化を抑制できる。
また、通風部３７ａは必要なだけ設けてよい。
【００３４】
次に、撮像装置の組立工程について説明する。まず、図５に示すように、光学フィルタ４０を、ホルダ３０の被写体側（円筒部３４側）から保持位置へ配置する。次に、塗布面３３ａ〜３３ｄと光学フィルタ４０の縁部との境界周辺に、接着剤６０を盛る。接着剤６０は本実施例においては常温硬化性のものを用いるが、他に熱硬化性、可視光硬化性、ＵＶ硬化性等のものであってもよい。接着剤６０が硬化すると、光学フィルタ４０はホルダ３０に固定される。
【００３５】
次に、ホルダ３０を、固定された光学フィルタ４０と共に、洗浄液により洗浄する。洗浄液としてはＨＦＥ（ハイドロ・フルオロ・エーテル）やＨＦＣ（ハイドロ・フルオロ・カーボン）等が考えられる。洗浄後は、図６に示すように、ホルダ３０を、撮像素子２０が搭載された基板１０に熱硬化性の接着剤により固定する。次に加熱処理を行い、この接着剤を硬化させる。
次に、ホルダ３０に、第１レンズ７１及び第２レンズ７２を保持したレンズ枠５０を螺合させ、ピント調整を行った後に接着剤により固定する。
【００３６】
以上のように、光学フィルタ４０は、光学フィルタ４０と、塗布面３３ａ〜３３ｄとのそれぞれにわたって塗布された接着剤６０によりホルダ３０に固定される。塗布面３３ａ〜３３ｄは、光学フィルタ４０に対して傾斜している。従って、塗布面が光学フィルタ４０に対して垂直に形成されている場合と比較し、接着剤６０の塗布量を増やすことができる、と同時に接着面積を増やすことができる。従って、洗浄液による浸食を受けた場合であっても、光学フィルタ４０とホルダ３０との接着力を維持することができる。
【００３７】
さらに、塗布面３３ａ〜３３ｄが傾斜していることにより、塗布面が垂直に設けられている場合と比べて、接着剤６０が光学フィルタ上に流れていく割合を減らすことができる。従って接着剤６０の厚みが薄くなることを防止できる。すなわち接着剤６０が塗布される厚みが増加する。そうすると接着剤６０の表面から界面までの距離が大きくなるので、洗浄液が浸透して界面における接着力を低下させる度合いを厚みが少ない場合に比べて相対的に減らすことができる。
【００３８】
また、図３に示したように、塗布面３３ａ〜３３ｄは、ホルダ３０の内周に形成されており、位置決め面３８ａ〜３８ｄから連続して形成され、ホルダ３０の外側に向かうにつれ、上方向に高くなるように形成されている。即ち、塗布面３３ａ〜３３ｄは、光学フィルタ４０に向けて下り傾斜している。これにより、接着剤６０を塗布する工程において、塗布面３３ａ〜３３ｄのそれぞれと光学フィルタ４０との境界より外側に接着剤６０が盛られた場合であっても、その境界を覆うように光学フィルタ４０に向かって接着剤６０が流れやすくなる。従って、接着作業が容易となる。
但し、前述したように塗布面が垂直に設けられている場合と比較し、接着剤６０が光学フィルタ４０上に流れ出す割合は減少される。
【００３９】
また、図３に示したように、塗布面３３ａ〜３３ｄは、支持面３６によって画定される、光学フィルタ４０のホルダ３０内における保持位置へと光学フィルタ４０を案内するように傾斜している。これにより、ホルダ３０への光学フィルタ４０の組み付けが容易となる。
【００４０】
また、通風部３７ａが設けられていることにより、光学フィルタ４０が固定されたホルダ３０を、撮像素子２０が搭載された基板１０へ熱硬化性の接着剤により固定する際に、熱硬化処理によって、光学フィルタ４０によって隔てられた、ホルダ３０内の基板１０側の空間内の空気が熱膨張して高圧状態になることを防止できる。これにより、熱硬化処理時に基板１０側の空間内が高圧状態となり、ホルダ３０と光学フィルタ４０との接合部分に隙間が発生したり、ホルダ３０から光学フィルタ４０が剥がれてしまうなど、ホルダ３０と光学フィルタ４０との接合状態に問題が発生することを防止できる。また、光学フィルタ４０によって隔てられた、ホルダ３０内の基板１０側の空間内の空気が熱膨張して高圧状態となり、熱硬化処理中に、上記と同様に基板１０とホルダ３０との接合状態に問題が発生することを防止できる。
【００４１】
なお、ホルダ３０を基板１０に固定した後は、ホルダ３０に、レンズ枠５０を螺合させて、ピント調整を行った後にホルダ３０とレンズ枠５０とは接着剤により固定される。従って、ホルダ３０にレンズ枠５０を固定した後は、ホルダ３０内は密封状態となるので、通風部３７ａを介して外部からホルダ３０の基板１０側の空間にゴミなどが侵入することを防止できる。従って、通風部３７ａが設けられていることによる特別な作業工程を行う必要がない。
【００４２】
また、通風部３７ａを光学フィルタ４０の角部４０ａ付近に設ければ、光学フィルタ４０の角部４０ａとホルダ３０が接触するようなレイアウトの場合に、ホルダ３０が光学フィルタ４０の角部４０ａにより削られてゴミが発生することを防止するために設ける逃げと共用することもでき、ホルダ３０の形状が複雑化することを防止することができる。
【００４３】
また、通風部３７ａは支持面３６を貫通してホルダ３０における基板１０側の空間と連通するように形成されていれば任意の場所に設けて良い。例えば支持面３６に穴を貫通させてホルダ３０における基板１０側の空間と連通するようにすることも可能である。
【実施例２】
【００４４】
次に、実施例２に係る撮像装置について説明する。尚、上記実施例１に係る撮像装置と同様の箇所については、同一の符号を付しその説明を省略する。
図７は、実施例２に係る撮像装置のホルダの一部分を拡大した正面図である。図８は、実施例２に係る撮像装置のホルダの一部分を拡大した斜視図である。
【００４５】
塗布面３３ｅは、光学フィルタ４０の略全周を囲うように形成されている。これにより、接着剤６０の塗布量を更に増やすことができる。従って、洗浄液による浸食を受けた場合であっても、光学フィルタ４０とホルダ３０との接着力を維持することができる。
尚、通風部３７ａが形成された箇所には、塗布面３３ｅは形成されていない。また、位置決め面３８ｅも、塗布面３３ｅと対応して、光学フィルタ４０の略全周に形成されている。
【００４６】
また、通風部３７ａは、光学フィルタ４０の角部４０ａと位置決め面３８ｅとが接触することを防止するための逃げとしても機能するように形成されている。これにより、光学フィルタ４０の角部４０ａがホルダ３０に接触して、ホルダ３０が削られてゴミが発生することを防止できる。なお、図示はしていないが通風部３７ａが設けられていないその他の位置決め面３８ｅと光学フィルタ４０の角部４０ａとが接触する部分には逃げを設けて、光学フィルタ４０を配置した際に、光学フィルタ４０の角部４０ａがホルダ３０に接触して、ホルダ３０が削られてゴミが発生することを防止することが望ましい。
【実施例３】
【００４７】
次に、実施例３に係る撮像装置について説明する。尚、上記実施例１に係る撮像装置と同様の箇所については、同一の符号を付しその説明を省略する。
図９は、実施例３に係る撮像装置の塗布面３３ａａ付近の拡大図である。尚、図９は、図３と対応している。
【００４８】
位置決め面３８ａａは、光学フィルタ４０の厚みよりも低く形成されている。従って、塗布面３３ａａは、光学フィルタ４０の厚み内から連続するように形成されている。これにより、接着剤６０の塗布量を更に増やすことができると共に、光学フィルタ４０及びホルダ３０と接着剤６０との接着面積を増やすことができる。また、ホルダ３０の光軸方向への大型化も抑制できる。
【実施例４】
【００４９】
次に、実施例４に係る撮像装置について説明する。尚、上記実施例１に係る撮像装置と同様の箇所については、同一の符号を付しその説明を省略する。
図１０は、実施例４に係る撮像装置の塗布面３３ａ付近の拡大図である。尚、図１０は、図３と対応している。図１１は、実施例４に係る撮像装置の一部分の拡大図である。
【００５０】
支持面３６には、溝部３５ａが形成されている。
溝部３５ａ内には、接着剤６１が充填されている。光学フィルタ４０は、溝部３５ａを塞ぐように配置されている。接着剤６１は、例えば常温硬化性のものである。
また、溝部３５ａは、開口部３１の周囲を覆うように形成されている。また、溝部３５ａは、光学フィルタ４０の形状に対応して、矩形状に形成されており、光学フィルタ４０の基板１０側の面と対向して外輪郭に沿うように形成されている。溝部３５ａは、塗布面３３ａ〜３３ｄと共に接着剤６０が塗布された光学フィルタ４０の面の裏面と対向する。
【００５１】
次に、実施例４に係る撮像装置の、ホルダ３０と光学フィルタ４０との組立工程について簡単に説明する。
ホルダ３０の溝部３５ａに、まず接着剤６１を塗布する。次に、光学フィルタ４０を、ホルダ３０の保持位置へと配置する。次に、光学フィルタ４０と、塗布面３３ａ〜３３ｄとの境界を覆うように接着剤６０を盛る。
【００５２】
これにより、光学フィルタ４０は、塗布面３３ａ〜３３ｄに塗布された接着剤６０と、溝部３５ａ内に塗布された接着剤６１とにより、両面からホルダ３０に固定される。これにより、光学フィルタ４０とホルダ３０との接着力が向上する。
また、光学フィルタ４０は、溝部３５ａを塞ぐようにホルダ３０に固定される。これにより、光学フィルタ４０をホルダ３０に接着した後に、ホルダ３０を洗浄した場合であっても、光学フィルタ４０が溝部３５ａを塞ぐように固定されているので、溝部３５ａ内への洗浄液の浸入を防止できる。従って、洗浄液による浸食を防止でき、ホルダ３０と光学フィルタ４０との接着力を維持することができる。
【００５３】
また、光学フィルタ４０が溝部３５ａを塞ぐように固定されているので、溝部３５ａ内は密封に近い状態となる。これにより、外部環境の変化などによる影響を抑制でき、ホルダ３０と光学フィルタ４０との接着力を長期的に維持することができる。なお、溝部３５ａは通風部３７ａとは連通しないように設けられているので、接着剤６１が通風部３７ａに流れ込むことは無い。
【実施例５】
【００５４】
次に、実施例５に係る撮像装置について説明する。尚、上記実施例１に係る撮像装置と同様の箇所については、同一の符号を付しその説明を省略する。
図１２は、実施例５に係る撮像装置の塗布面３３ａｂ付近の拡大図である。尚、図１２は、図３と対応している。
図１２に示すように、塗布面３３ａｂは、基板１０側から被写体側にかけて光学フィルタ４０の外側に向けて凸となるように曲面状に形成されている。このような構成によっても、接着剤６０の塗布量を増やすことができる。また、塗布面３３ａｂは、曲面状に形成されているので、組み立てる際に、光学フィルタ４０を保持位置へとスムーズに案内することができる。
【００５５】
以上本発明の好ましい実施形態について詳述したが、本発明は係る特定の実施形態に限定されるものではなく、特許請求の範囲に記載された本発明の要旨の範囲内において、変形・変更が可能である。
【００５６】
上記実施例において、ホルダ３０は、レンズ枠５０と螺合する構成であるが、このような構成に限定されず、レンズ枠５０を保持するレンズホルダとホルダ３０とが螺合する構成であってもよい。
【００５７】
ホルダ３０の接着剤塗布部にはさらなる接合力向上のため、シボを形成するなどしてもよい。また、プラズマ処理などの表面処理をしてさらなる接着力の向上を図ってもよい。
【図面の簡単な説明】
【００５８】
【図１】本実施例に係る撮像装置の構成を示した断面図である。
【図２】ホルダの正面図と、光学フィルタを説明するための斜視図である。
【図３】図１における塗布面付近の拡大図である。
【図４】通風部を説明するための斜視図である。
【図５】撮像装置の組立工程の説明図である。
【図６】撮像装置の組立工程の説明図である。
【図７】実施例２に係る撮像装置のホルダの一部分を拡大した正面図である。
【図８】実施例２に係る撮像装置のホルダの一部分を拡大した斜視図である。
【図９】実施例３に係る撮像装置の塗布面付近の拡大図である。
【図１０】実施例４に係る撮像装置の塗布面付近の拡大図である。
【図１１】実施例４に係る撮像装置の一部分の拡大図である。
【図１２】実施例５に係る撮像装置の塗布面付近の拡大図である。
【符号の説明】
【００５９】
１０                                          基板
２０                                          撮像素子
２１                                          ボンディングワイヤ
３０                                          ホルダ
３１                                          開口部
３２、５２                                    螺合部
３３ａ〜３３ｄ、３３ｅ、３３ａａ、３３ａｂ    塗布面
３４                                          円筒部
３５ａ                                        溝部
３６                                          支持面
３７ａ                                        通風部
３８ａ〜３８ｄ、３８ｅ、３８ａａ              位置決め面
４０                                          光学フィルタ
５０                                          レンズ枠
５１                                          開口部
６０、６１                                    接着剤
７１                                          第１レンズ
７２                                          第２レンズ
【図１】
2008219582.tif 000003
【図２】
2008219582.tif 000004
【図３】
2008219582.tif 000005
【図４】
2008219582.tif 000006
【図５】
2008219582.tif 000007
【図６】
2008219582.tif 000008
【図７】
2008219582.tif 000009
【図８】
2008219582.tif 000010
【図９】
2008219582.tif 000011
【図１０】
2008219582.tif 000012
【図１１】
2008219582.tif 000013
【図１２】
2008219582.tif 000014